【手続補正書】
【提出日】平成17年6月28日(2005.6.28)
【手続補正１】
【補正対象書類名】明細書
【補正対象項目名】０００４
【補正方法】変更
【補正の内容】
【０００４】
従来の有機ＥＬディスプレイは、画素に対応する領域ごとに、低温ポリシリコン又はアモルファス・シリコン等により構築された薄膜トランジスタ（Thin Film Transistor；以下、「ＴＦＴ」という。）素子を設けている。各ＴＦＴ素子は、電流を用いるアクセスによって、ＯＮ／ＯＦＦが制御される。電流を用いて各ＴＦＴ素子のＯＮ／ＯＦＦを制御することにより、有機ＥＬディスプレイを駆動することができる。しかしながら、画素数を増加する場合、画素ごとにＴＦＴ素子を設けると、画素数の増加に応じてＴＦＴ素子の数も増加する。ＴＦＴ素子の数が増加すると、電流によりアクセスするための電気的な配線も増加する。有機ＥＬディスプレイの構成が複雑となると、歩留まりの減少の原因ともなり得る。従って、画面を大型にするために画素数を増加すると、有機ＥＬディスプレイの製造コストが高騰する場合がある。
【手続補正２】
【補正対象書類名】明細書
【補正対象項目名】０００７
【補正方法】変更
【補正の内容】
【０００７】
本発明の表示パネルは、第１の透明電極層に制御光を入射させることにより駆動する。導電率可変層は、制御光を入射させないとき、電気的な導電率が略ゼロの絶縁層として機能する。また、制御光を入射させるとき、導電率可変層は、第１の透明電極層を透過した制御光の光量に応じて、電気的な導電率が変化する。第１の透明電極層と、第２の透明電極層との間に所定の電圧を印加させておくと、ＥＬ層に、所定の電圧のうち制御光の光量に応じた電圧を印加させることができる。ＥＬ層は、制御光の光量に応じた電圧が印加されることにより、制御光の光量に応じて発光する。このようにして、表示パネルは、制御光でアクセスすることにより駆動を制御することができる（光アドレッシング）。制御光を入射させることにより制御可能であるから、本発明の表示パネルは、ＴＦＴ素子を設ける必要がない。ＴＦＴ素子は画素に対応する領域ごとに設ける必要があるのに対して、本発明の表示パネルは、導電率可変層、第１の透明電極層、第２の透明電極層を基板全体に一様に成膜できるため容易に製造することができる。また、制御光を走査させる構成によって画素ごとのアクセスが可能であるから、画素ごとに電気的にアクセスする必要もない。このことから、画素ごとに電気的な配線を施すことも不要である。このため、本発明の表示パネルは、従来のＥＬディスプレイより簡易な構成とすることができる。表示パネルを簡易な構成とすることにより、歩留まりを向上し、製造コストを削減することも可能である。
【手続補正３】
【補正対象書類名】明細書
【補正対象項目名】００３９
【補正方法】変更
【補正の内容】
【００３９】
表示装置１００は、制御光Ｌによって表示パネル１２０の駆動を制御する。従って、本実施例の表示パネル１２０は、ＴＦＴ素子を設ける必要がない。ＴＦＴ素子は画素ごとに設ける必要があるのに対して、表示パネル１２０の導電率可変層１０３、第１の透明電極層１０２、有機ＥＬ層１１０、第２の透明電極層１０４は、それぞれ基板１０１全体に一様に成膜することにより形成することができる。このため、表示パネル１２０の製造工程においてパターニングが不要であることから、ＴＦＴ素子を設ける場合に比較して、表示パネル１２０の製造が容易である。また、制御光Ｌを走査させる構成によって画素ごとのアクセスが可能であるから、画素ごとに電気的にアクセスする必要もない。画素ごとに電気的にアクセスする必要がないことから、画素ごとに電気的な配線を施すことも不要である。このため、本実施例の表示パネル１２０は、従来のＥＬディスプレイより簡易な構成とすることができる。表示パネル１２０を簡易な構成とするうえ、製造が容易であることにより、歩留まりを向上し、製造コストを削減することも可能である。
【手続補正４】
【補正対象書類名】明細書
【補正対象項目名】００５７
【補正方法】変更
【補正の内容】
【００５７】
例えば、遮光部４３５を設けない構成とすると、制御光用光学系３４０は、各色光用画素４２０Ｒ、４２０Ｇ、４２０Ｂの位置のみに対応して正確に各制御光Ｌ１、Ｌ２、Ｌ３を入射させなければならない。これに対して、遮光部４３５に開口部４３７を設ける構成とすると、制御光用光学系３４０は、各色光用画素４２０Ｒ、４２０Ｇ、４２０Ｂに対応して設けられている開口部４３７に各制御光Ｌ１、Ｌ２、Ｌ３を入射させることが可能であれば、表示装置３００に使用することができる。これにより、制御光用光学系３４０は、各画素の位置レベルまで高精度に各制御光Ｌ１、Ｌ２、Ｌ３を入射させる必要がなく、各開口部４３７の位置レベルまでの精度で各制御光Ｌ１、Ｌ２、Ｌ３を入射させれば良い。各制御光Ｌ１、Ｌ２、Ｌ３は、照射したまま画像信号に応じて変調させて走査させることも可能となる。
【手続補正５】
【補正対象書類名】明細書
【補正対象項目名】００５８
【補正方法】変更
【補正の内容】
【００５８】
このように、制御光用光学系３４０からの各制御光Ｌ１、Ｌ２、Ｌ３の入射位置レベルのオーダーが大きくなること、各制御光Ｌ１、Ｌ２、Ｌ３を照射したまま画像信号に応じて変調させることにより、表示パネル３２０の制御が容易となる。また、各制御光Ｌ１、Ｌ２、Ｌ３のスキャン速度を遅くしなくても、正確に光アドレッシングを行うことができる。このため、高品質な画像を表示するために必要な速度で各制御光Ｌ１、Ｌ２、Ｌ３をスキャンしても、各色光用画素４２０Ｒ、４２０Ｇ、４２０Ｂに、正確に各制御光Ｌ１、Ｌ２、Ｌ３を入射させることができる。さらに、大型な表示パネル３２０についても、正確な制御を容易に行うことができる。これにより、画像の品質を低下することなく正確な制御を容易に行うことができるという効果を奏する。
【手続補正６】
【補正対象書類名】明細書
【補正対象項目名】００７０
【補正方法】変更
【補正の内容】
【００７０】
次に、工程ｊにおいて、工程ｉで形成された反射電極４１１の上に、導電性の接着層８５０を設ける。そして、貼り合せ工程である工程ｋにおいて、第２の層状構造体形成工程において形成した第２の層状構造体を、第１の層状構造体形成工程において形成した第１の層状構造体に貼り合せて一体とし、表示パネル３２０とする。このとき、第１の層状構造体の導電率可変層１０３と、第２の層状構造体のバンク４２５及び接着層８５０とが、重なり合うように貼り合せる。工程ｋにおいて、バンク４２５と導電率可変層１０３との間に接着層８５０が入り込むと、入り込んだ接着層８５０によって隣り合う画素に対応する反射電極４１１どうしが電気的に接続されてしまう。隣り合う画素に対応する反射電極１１１どうしが電気的に接続されてしまうと、表示パネル３２０の駆動を画像信号に応じて制御することが困難となる。従って、工程ｋにおいて、バンク４２５と、導電率可変層１０３との間に接着層８５０が入り込まないことを要する。さらに、工程ｊにおいて、インクジェット法を用いて、バンク４２５で囲まれた領域内のみに接着層８５０を設けることとするのが望ましい。このようにして接着層８５０がバンク４２５と導電率可変層１０３との間に入り込むことを防止し、画像信号に応じて正確に制御することができる表示パネル３２０を得られる。
【手続補正７】
【補正対象書類名】明細書
【補正対象項目名】００８２
【補正方法】変更
【補正の内容】
【００８２】
各制御光用光源ユニット１１５０、１１６０は、表示パネル１１２０の領域を分担して各制御光Ｌ４〜Ｌ６、Ｌ７〜Ｌ９を供給する。このため、各ガルバノミラー１１５４、１１５５、１１５６、１１６４、１１６５、１１６６から表示パネル１１２０までの距離を短くできる。また、表示パネル１１２０の領域を分担して各制御光Ｌ４〜Ｌ９を供給することにより、各制御光Ｌ４〜Ｌ９の走査角度を小さくすることもできる。各制御光Ｌ４〜Ｌ９の走査距離を小さくするため、各制御光Ｌ４〜Ｌ９の走査速度を小さくしても、画像表示を十分に行うことができる。これにより、表示装置１１２０を小型化できるうえ、制御光Ｌ４〜Ｌ９を容易に走査することができるという効果を奏する。なお、本実施例の表示装置１１００は、２つの制御光用光源ユニット１１５０、１１６０を用いることとしたが、３つ以上の制御光用光源ユニットを設け、表示パネル１１００を３つ以上に分割して制御光を供給することとしても良い。